(57)【特許請求の範囲】
【請求項１】
被験者の身体に接触する第１電極対および第２電極対を含む電極部と、
前記第１電極対を利用した２電極法で第１インピーダンスを算定する第１算定手段と、
前記第１電極対と前記第２電極対とを利用した４電極法で第２インピーダンスを算定する第２算定手段と、
前記被験者の身体に対する前記電極部の接触圧に応じた接触圧指標を前記第１インピーダンスと前記第２インピーダンスとの差分に基づいて算定する指標算定手段と、
前記第２インピーダンスに応じた生体情報を生成する情報生成手段と
を具備する測定装置。
【請求項２】
前記第１電極対の電極間に被験者の身体を介して電流を流す電流生成手段と、
前記第１電極対および前記第２電極対の一方を選択する電極選択手段と、
前記電極選択手段が選択した電極対の電極間の電圧を検出する電圧検出手段とを具備し、
前記第１算定手段は、前記電極選択手段が前記第１電極対を選択した状態で前記電流生成手段が生成する電流と前記電圧検出手段が検出する電圧とに応じて前記第１インピーダンスを算定し、
前記第２算定手段は、前記電極選択手段が前記第２電極対を選択した状態で前記電流生成手段が生成する電流と前記電圧検出手段が検出する電圧とに応じて前記第２インピーダンスを算定する
請求項１の測定装置。
【請求項３】
被験者の身体と前記電極部との接触状態の適否を前記接触圧指標に応じて判定する接触状態判定手段を具備し、
前記情報生成手段は、被験者の身体と前記電極部との接触状態が適正であると前記接触状態判定手段が判定した場合に前記第２インピーダンスに応じた生体情報を生成する
請求項１または請求項２の測定装置。
【請求項４】
前記情報生成手段は、皮下脂肪厚を前記生体情報として算定する
請求項３の測定装置。
【請求項５】
前記第１算定手段による前記第１インピーダンスの算定と前記第２算定手段による前記第２インピーダンスの算定と前記指標算定手段による接触圧指標の算定とを含む測定処理が複数回にわたり実行され、
前記接触状態判定手段は、一の測定処理にて測定された接触圧指標を基準値とし、以降の各測定処理にて測定された接触圧指標を前記基準値と比較することで被験者の身体と前記電極部との接触状態の適否を測定処理毎に判定する
請求項３または請求項４の測定装置。
【請求項６】
前記情報生成手段は、前記接触状態が適正であるとの判定が所定回の測定処理にわたって連続した場合に前記生体情報を生成する
請求項５の測定装置。
【発明の詳細な説明】
【技術分野】
【０００１】
本発明は、皮下脂肪厚等の生体情報を計測する技術に関する。
【背景技術】
【０００２】
生体インピーダンスを利用して被験者の生体情報を算定する技術が従来から提案されている。例えば特許文献１には、電極部（プローブ）に形成された４個の電極を被験者の身体に接触させて生体インピーダンスを算定し、生体インピーダンスから特定されるレジスタンスＲとリアクタンスＸとの比（Ｒ/Ｘ）から被験者の皮下脂肪厚を算定する技術が開示されている。
【先行技術文献】
【特許文献】
【０００３】
【特許文献１】特開２０１０−２５９７７６号公報
【発明の概要】
【発明が解決しようとする課題】
【０００４】
しかし、電極部から作用する接触圧（押圧力）に応じて皮下脂肪は変形するため、生体インピーダンスに応じて算定される皮下脂肪厚には誤差が発生する可能性がある。電極部の接触圧を検出する圧力センサ等の検出器を利用すれば、電極部から身体に作用する接触圧の適否（例えば皮下脂肪の変形の有無）を検出することも可能であるが、検出器の追加により測定装置の構成が複雑化するという問題がある。なお、以上の説明では皮下脂肪厚の測定を想定したが、電極部の接触圧に依存する他の生体情報（例えば筋肉厚）の測定時にも同様の問題が発生し得る。以上の事情を考慮して、本発明は、電極部から身体に作用する接触圧を簡易な構成で評価することを目的とする。
【課題を解決するための手段】
【０００５】
以上の課題を解決するために本発明が採用する手段を説明する。なお、本発明の理解を容易にするために、以下の説明では、本発明の要素と後述の実施形態の要素との対応を括弧書で付記するが、本発明の範囲を実施形態の例示に限定する趣旨ではない。
【０００６】
本発明の測定装置は、被験者の身体（例えば測定部位６０）に接触する第１電極対（例えば電極対ＰA）および第２電極対（例えば電極対ＰB）を含む電極部（例えば電極部１４）と、第１電極対を利用した２電極法で第１インピーダンス（例えばインピーダンスＺA[n]）を算定する第１算定手段（例えば制御部２２）と、第１電極対と第２電極対とを利用した４電極法で第２インピーダンス（例えばインピーダンスＺB[n]）を算定する第２算定手段（例えば制御部２２）と、被験者の身体に対する電極部の接触圧に応じた接触圧指標（例えば接触圧指標Ｃ[n]）を第１インピーダンスと第２インピーダンスとの差分に基づいて算定する指標算定手段（例えば制御部２２）とを具備する。以上の構成では、第１電極対を利用した２電極法で測定された第１インピーダンスと第１電極対および第２電極対を利用した４電極法で測定された第２インピーダンスとの差分に応じた接触圧指標Ｃ[n]が電極部の接触圧の指標として算定される。したがって、電極部の接触圧の検出に専用される圧力センサ等の検出器を必要とせずに身体に対する電極部の接触圧を評価することが可能である。
【０００７】
本発明の好適な態様に係る測定装置は、第１電極対の電極間に被験者の身体を介して電流（例えば測定電流Ｉ）を流す電流生成手段（例えば電流生成部３２）と、第１電極対および第２電極対の一方を選択する電極選択手段（例えば電極選択部３６）と、電極選択手段が選択した電極対の電極間の電圧（例えば測定電圧Ｖ）を検出する電圧検出手段（例えば電圧検出部３４）とを具備し、第１算定手段は、電極選択手段が第１電極対を選択した状態で電流生成手段が生成する電流と電圧検出手段が検出する電圧とに応じて第１インピーダンスを算定し、第２算定手段は、電極選択手段が第２電極対を選択した状態で電流生成手段が生成する電流と電圧検出手段が検出する電圧とに応じて第２インピーダンスを算定する。以上の態様では、電極選択手段の選択の対象に応じて２電極法と４電極法とを簡便に切替えることが可能である。
【０００８】
本発明の好適な態様に係る測定装置は、被験者の身体と電極部との接触状態の適否を接触圧指標に応じて判定する接触状態判定手段（例えば制御部２２）と、被験者の身体と電極部との接触状態が適正であると接触状態判定手段が判定した場合に第２インピーダンスに応じた生体情報を算定する情報生成手段（例えば制御部２２）とを具備する。以上の態様では、被験者の身体と電極部との接触状態（例えば接触圧）が適正である場合に生体情報が生成されるから、被験者の身体と電極部との接触状態に依存する生体情報（例えば皮下脂肪厚）を高精度に測定できるという利点がある。
【０００９】
本発明の好適な態様では、第１算定手段による第１インピーダンスの算定と第２算定手段による第２インピーダンスの算定と指標算定手段による接触圧指標の算定とを含む測定処理が複数回にわたり実行され、接触状態判定手段は、各測定処理にて測定された接触圧指標を基準値（例えば基準値ＣREF）と比較することで被験者の身体と電極部との接触状態の適否を測定処理毎に判定する。以上の態様では、各測定処理で算定された接触圧指標を基準値と比較することで被験者の身体と電極部との接触状態（接触圧）の変化を検出することが可能である。接触圧指標の基準値は任意であるが、例えば、一の測定処理（例えば第１回目の測定処理）にて測定された接触圧指標を、以後の各測定処理の接触圧指標と比較される基準値とする構成が好適である。
【００１０】
本発明の好適な態様において、情報生成手段は、接触状態が適正であるとの判定が所定回（例えば閾値ＭTH）の測定処理にわたって連続した場合に生体情報を生成する。以上の態様では、接触状態が適正であるとの判断が所定回の測定処理にわたって連続した場合（すなわち接触状態が安定した場合）に生体情報が生成されるから、接触状態が不安定に変化する状態で生体情報を生成する構成と比較して、接触状態に依存する生体情報を高精度に測定できるという利点がある。
【００１１】
本発明の好適な態様において、第１電極対は、第１電極（例えば電極Ｅ1）と第２電極（例えば電極Ｅ2）とで構成され、第２電極対は、第１電極および第２電極の間に配置された第３電極（例えば電極Ｅ3）と第４電極（例えば電極Ｅ4）とで構成され、第１電極と第２電極と第３電極と第４電極とは、第１方向（例えばＸ方向）に長尺な形状に形成され、第１方向に直交する第２方向（例えばＹ方向）に相互に間隔をあけて配列する。以上の態様によれば、各電極を確実に被験者の身体に接触させることが可能である。
【００１２】
以上の各態様に係る測定装置は、例えば演算処理装置とプログラム（ソフトウェア）との協働で実現される。本発明のプログラムは、被験者の身体に接触する第１電極対および第２電極対を含む電極部が接続されたコンピュータに、第１電極対を利用した２電極法で第１インピーダンスを算定する第１算定処理（例えば処理Ｓ3）と、第１電極対と第２電極対とを利用した４電極法で第２インピーダンスを算定する第２算定処理（例えば処理Ｓ6）と、被験者の身体に対する電極部の接触圧に応じた接触圧指標を第１インピーダンスと第２インピーダンスとの差分に基づいて算定する指標算定処理（例えば処理Ｓ8）とを実行させる。以上のプログラムによれば、本発明の測定装置と同様の作用および効果が実現される。本発明のプログラムは、コンピュータが読取可能な記録媒体に格納された形態で利用者に提供されてコンピュータにインストールされるほか、通信網を介した配信の形態でサーバ装置から提供されてコンピュータにインストールされる。
【図面の簡単な説明】
【００１３】
【図１】本発明の第１実施形態に係る測定装置の外観図である。
【図２】測定装置の電気的な構成のブロック図である。
【図３】測定処理のフローチャートである。
【図４】測定電流の電流経路および測定電圧の検出位置の説明図である。
【図５】接触圧と測定部位のインピーダンスとの関係を示す図表である。
【図６】第２実施形態における測定処理のフローチャートである。
【発明を実施するための形態】
【００１４】
＜Ａ：第１実施形態＞
図１は、第１実施形態に係る測定装置１００の構成図である。測定装置１００は、被験者の身体に関する生体情報（例えば体組成に関する指標）を測定する生体計測器である。第１実施形態では、被験者の身体のうち測定対象となる任意の部位（以下「測定部位」という）の皮下脂肪厚Ｌfを生体情報として例示する。図１に示すように、測定装置１００は、本体部１２と電極部（プローブ）１４とを具備する。本体部１２と電極部１４とはケーブル１６を介して電気的に接続される。なお、本体部１２と電極部１４とを一体に構成することも可能である。
【００１５】
電極部１４は、利用者（被験者自身や測定者）が把持可能な筐体１４２と、筐体１４２の表面１４４に形成された電極対ＰAおよび電極対ＰBとを含んで構成される。電極対ＰAは電極Ｅ1および電極Ｅ2の対であり、電極対ＰBは電極Ｅ3および電極Ｅ4の対である。４個の電極Ｅ1〜Ｅ4の各々は、Ｘ方向に長尺な形状（略長方形状）に形成され、Ｘ方向に直交するＹ方向に相互に間隔をあけて配列する。図１に示すように、電極Ｅ3および電極Ｅ4は、電極Ｅ1と電極Ｅ2との間に位置する。図１では電極Ｅ1〜Ｅ4を等間隔に配置した場合を例示した。利用者は、被験者の身体の測定部位に４個の電極Ｅ1〜Ｅ4が接触するように電極部１４を移動させることが可能である。
【００１６】
図２は、測定装置１００の電気的な構成のブロック図である。図２に示すように、本体部１２は、制御部２２と記憶部２４と操作部２６と表示部２８とを具備する。制御部２２（ＣＰＵ）は、記憶部２４に記憶されたプログラムの実行で測定装置１００の各要素を制御する。記憶部２４は、制御部２２が実行するプログラムや制御部２２が使用する各種のデータを記憶する記憶回路（例えばＲＯＭやＲＡＭ）である。
【００１７】
操作部２６は、利用者からの指示を受付ける入力機器であり、図１に示すように複数の操作子を含んで構成される。例えば皮下脂肪厚Ｌfの測定開始が操作部２６に対する操作で指示される。表示部２８（例えば液晶表示装置）は、制御部２２による制御のもとで各種の画像を表示する。例えば、表示部２８は、測定装置１００を利用した測定手順の案内や測定装置１００の測定結果（皮下脂肪厚Ｌf）を表示する。
【００１８】
図２に示すように、電極部１４は、前述の電極対ＰAおよび電極対ＰBのほか、筐体１４２に収容された電流生成部３２と電圧検出部３４と電極選択部３６とを具備する。なお、電流生成部３２と電圧検出部３４と電極選択部３６とを本体部１２に設置することも可能である。
【００１９】
図２の電流生成部３２は、電極Ｅ1と電極Ｅ2との間に測定電流Ｉを供給する。測定電流Ｉは、被験者の身体を経由して電極Ｅ1と電極Ｅ2との間を流れる所定の周波数（例えば５００ｋＨｚまたは６．２５ｋＨｚ）の交流電流である。電圧検出部３４は、一対の電極Ｅ間の電圧（以下「測定電圧」という）Ｖを検出する。電圧検出部３４が検出した測定電圧Ｖは、Ａ/Ｄ変換器（図示略）にてデジタル信号に変換されたうえで制御部２２に供給される。
【００２０】
電極選択部３６は、電極対ＰAおよび電極対ＰBの何れかを電圧検出部３４の接続先として選択する。図２に示すように、第１実施形態の電極選択部３６は、スイッチＳW1とスイッチＳW2とを含んで構成される。スイッチＳW1は、電圧検出部３４の端子ＴV1を電極Ｅ1（接点ａ）および電極Ｅ3（接点ｂ）の一方に接続し、スイッチＳW2は、電圧検出部３４の端子ＴV2を電極Ｅ2（接点ａ）および電極Ｅ4（接点ｂ）の一方に接続する。
【００２１】
図３は、制御部２２が実行する測定処理のフローチャートである。電極部１４の４個の電極Ｅ1〜Ｅ4が被験者の測定部位６０に接触した状態で測定開始の指示が操作部２６に付与されると、例えば割込信号で規定される所定の間隔で図３の測定処理が反復される。変数ｎは測定処理の回数（ｎは自然数）を意味する。また、図４は、測定処理の実行中における測定電流Ｉの電流経路および測定電圧Ｖの検出位置の模式図である。
【００２２】
第ｎ回目の測定処理を開始すると、制御部２２は、電圧検出部３４の接続先として電極対ＰAが選択されるように電極選択部３６を制御する（Ｓ1）。具体的には、制御部２２は、スイッチＳW1およびスイッチＳW2の各々を接点ａ側に制御することで、図４の部分(A)に示すように、電圧検出部３４の端子ＴV1を電極Ｅ1に接続するとともに端子ＴV2を電極Ｅ2に接続する。電極Ｅ3および電極Ｅ4は電圧検出部３４から電気的に絶縁された状態となる。制御部２２は、以上の状態で電流生成部３２と電圧検出部３４とを動作させる（Ｓ2）。したがって、電流生成部３２が生成した測定電流Ｉが電極Ｅ1から測定部位６０を経由して電極Ｅ2に流れた状態で、電圧検出部３４は電極Ｅ1と電極Ｅ2との間の測定電圧Ｖを検出する。
【００２３】
制御部２２は、処理Ｓ2での測定電流Ｉと測定電圧Ｖとに応じてインピーダンスＺA[n]を算定する（Ｓ3）。インピーダンスＺA[n]の算定には公知の技術が任意に採用される。以上の説明から理解されるように、制御部２２が処理Ｓ1から処理Ｓ3を実行することで、電極対ＰAを利用した２電極法（電極対ＰBは不使用）でインピーダンスＺA[n]を算定する手段（第１算定手段）が実現される。
【００２４】
図４の部分(A)に示すように、測定電流Ｉの経路上には、測定部位６０（皮下脂肪）の生体インピーダンスＲBに加えて、電極Ｅ1と測定部位６０との間の接触インピーダンスＲC1と、電極Ｅ2と測定部位６０との間の接触インピーダンスＲC2とが付随する。したがって、処理Ｓ3で算定されるインピーダンスＺA[n]は、近似的に以下の数式(1)で表現される。
ＺA[n]＝ＲB＋ＲC1＋ＲC2  ……(1)
【００２５】
以上の手順でインピーダンスＺA[n]を算定すると、制御部２２は、電圧検出部３４の接続先として電極対ＰBが選択されるように電極選択部３６を制御する（Ｓ4）。具体的には、制御部２２は、スイッチＳW1およびスイッチＳW2の各々を接点ｂ側に制御することで、図４の部分(B)に示すように、電圧検出部３４の端子ＴV1を電極Ｅ3に接続するとともに端子ＴV2を電極Ｅ4に接続する。制御部２２は、以上の状態で電流生成部３２と電圧検出部３４とを動作させる（Ｓ5）。したがって、測定電流Ｉが電極Ｅ1から測定部位６０を経由して電極Ｅ2に流れた状態で、電圧検出部３４は電極Ｅ3と電極Ｅ4との間の測定電圧Ｖを検出する。
【００２６】
制御部２２は、処理Ｓ5での測定電流Ｉと測定電圧Ｖとに応じてインピーダンスＺB[n]を算定する（Ｓ6）。インピーダンスＺB[n]の算定には公知の技術が任意に採用される。以上の説明から理解されるように、制御部２２が処理Ｓ4から処理Ｓ6を実行することで、電極対ＰAおよび電極対ＰBを利用した４電極法でインピーダンスＺB[n]を算定する手段（第２算定手段）が実現される。また、制御部２２は、測定電流Ｉと測定電圧Ｖとの位相差θおよびインピーダンスＺB[n]からレジスタンスＲ（インピーダンスＺB[n]の実数部）とリアクタンスＸ（インピーダンスＺB[n]の虚数部）とを算定したうえで両者間の比Ｒ/Ｘを算定する（Ｓ7）。
【００２７】
処理Ｓ5では、電極対ＰAの内側に位置する電極対ＰBを利用して測定電圧Ｖが測定されるから、電極Ｅ1の接触インピーダンスＲC1や電極Ｅ2の接触インピーダンスＲC2は測定電圧Ｖに影響しない。また、電圧検出部３４の端子ＴV1や端子ＴV2には電流が殆ど流れないから、電極Ｅ3の接触インピーダンスＲC3や電極Ｅ4の接触インピーダンスＲC4も測定電圧Ｖには影響しない。以上のように４電極法では各電極Ｅの接触インピーダンスＲC（ＲC1〜ＲC4）を無視できるから、処理Ｓ6で算定されるインピーダンスＺB[n]は、以下の数式(2)で表現されるように測定部位６０の生体インピーダンスＲBに略一致する。
ＺB[n]＝ＲB  ……(2)
【００２８】
制御部２２は、処理Ｓ3で算定したインピーダンスＺA[n]と処理Ｓ6で算定したインピーダンスＺB[n]との相違に応じた接触圧指標Ｃ[n]を算定する（Ｓ8）。具体的には、制御部２２は、以下の数式(3)で示すように、インピーダンスＺA[n]とインピーダンスＺB[n]との差分を接触圧指標Ｃ[n]として算定する。
Ｃ[n]＝ＺA[n]−ＺB[n]  ……(3)
【００２９】
数式(1)および数式(2)を数式(3)に代入すると以下の数式(4)が導出される。
Ｃ[n]＝ＲC1＋ＲC2  ……(4)
数式(4)の通り、接触圧指標Ｃ[n]は、電極Ｅ1の接触インピーダンスＲC1と電極Ｅ2の接触インピーダンスＲC2との加算値に相当する。接触インピーダンスＲC（ＲC1，ＲC2）は、電極部１４から測定部位６０に作用する接触圧（押圧力）に応じて変化する。したがって、測定部位６０に対する電極部１４の接触圧の指標として数式(3)の接触圧指標Ｃ[n]を利用することが可能である。
【００３０】
図５は、電極部１４から測定部位６０に作用する接触圧と各インピーダンスとの関係を示す図表である。２電極法で測定されたインピーダンスＺA[n]と４電極法で測定されたインピーダンスＺB[n]と接触圧指標Ｃ[n]との各数値が、接触圧を変化させた複数の場合の各々について図示されている。図５の部分(A)は被験者の腹部を測定部位６０とした場合の測定結果であり、図５の部分(B)は被験者の上腕（二の腕）を測定部位６０とした場合の測定結果である。
【００３１】
図５に示すように、測定部位６０に対する電極部１４の接触圧が増加するほど２電極法のインピーダンスＺA[n]は減少するのに対し、４電極法のインピーダンスＺB[n]は殆ど変化しない。したがって、測定部位６０に対する接触圧に応じて接触圧指標Ｃ[n]は変化する。具体的には、接触圧が増加するほど接触圧指標Ｃ[n]が減少するという相関が図５から把握される。以上の傾向を考慮して、第１実施形態では、処理Ｓ8で算定される接触圧指標Ｃ[n]を測定部位６０と電極部１４との接触状態（接触圧）の適否の評価に利用する。
【００３２】
図３の処理Ｓ8で接触圧指標Ｃ[n]を算定すると、制御部２２は、現段階で実行している測定処理が第１回目（ｎ＝１）であるか否かを判定する（Ｓ9）。処理Ｓ9の結果が肯定である場合、制御部２２は、今回の測定処理の処理Ｓ8で算定した接触圧指標Ｃ[n]（Ｃ[1]）を基準値ＣREFとして記憶部２４に格納したうえで第１回目の測定処理を終了する（Ｓ10）。基準値ＣREFは、第２回目以降の各測定処理で算定される接触圧指標Ｃ[n]の基準となる数値である。
【００３３】
処理Ｓ9の結果が否定である場合（すなわち、第２回目以降の測定処理の実行中である場合）、制御部２２は、現段階（第ｎ回目）の測定処理内の処理Ｓ8で算定した接触圧指標Ｃ[n]を記憶部２４内の基準値ＣREFと比較したときの変動量δＣ[n]を算定する（Ｓ11）。具体的には、変動量δＣ[n]は、接触圧指標Ｃ[n]と基準値ＣREFとの差分の絶対値（δＣ[n]＝|Ｃ[n]−ＣREF|）である。そして、制御部２２は、変動量δＣ[n]が所定の閾値δTHを下回るか否かを判定する（Ｓ12）。閾値δTHは、例えば５０Ω程度の数値に設定される。
【００３４】
測定部位６０に対する接触圧が測定開始の直後（第１回目の測定処理）から大幅に増加した場合、測定部位６０の皮下脂肪が電極部１４による押圧で大きく変形している可能性が高い。以上のように測定部位６０が変形した状態では皮下脂肪厚Ｌfを正確に推定できない。そこで、変動量δＣ[n]が閾値δTHを上回ると処理Ｓ12で判定した場合（すなわち、第１回目の測定処理の実行時と比較して接触圧が大幅に変化した場合）、制御部２２は、測定部位６０に対する接触圧が不適正である旨の警告（測定エラー）を利用者に報知したうえで第ｎ回目の測定処理を終了する（Ｓ13）。利用者に対する警告の方法は任意であるが、例えば表示部２８に対する画像の表示や音声での出力が好適である。以上の説明から理解されるように、制御部２２が処理Ｓ12を実行することで、測定部位６０と電極部１４（各電極Ｅ）との接続状態の適否を接触圧指標Ｃ[n]に応じて判定する手段（接触状態判定手段）が実現される。
【００３５】
他方、測定部位６０に対する接触圧が適正な範囲内に維持されている場合（すなわち第１回目の測定処理の実行時から測定部位６０が過度に変形していない場合）、接触圧指標Ｃ[n]は基準値ＣREFを含む所定の範囲（例えば(ＣREF±δTH)の範囲）内の数値となる。そこで、変動量δＣ[n]が閾値δTHを下回ると処理Ｓ12で判定した場合、制御部２２は、今回（第ｎ回目）の測定処理の処理Ｓ6で算定したインピーダンスＺB[n]（生体インピーダンスＲB）に応じた皮下脂肪厚Ｌfを算定する（Ｓ14）。すなわち、制御部２２が処理Ｓ14を実行することで、測定部位６０と電極部１４との接触状態が適正であると判定された場合（Ｓ12：YES）に生体情報を算定する要素（情報生成手段）が実現される。
【００３６】
皮下脂肪は筋肉と比較して測定電流Ｉと測定電圧Ｖとの位相差θを発生させ難いから、測定部位６０の皮下脂肪厚Ｌfが大きいほど位相差θは小さくなる。したがって、皮下脂肪厚Ｌfが大きいほど、処理Ｓ7で算定される比Ｒ/Ｘが大きくなるという傾向がある。以上の傾向を考慮すると、皮下脂肪厚Ｌf（測定部位６０の表面を基準（ゼロ）とした皮下脂肪の深さ）は、定数ａおよび定数ｂを含む以下の数式(5)で表現される。定数ａおよび定数ｂは、比Ｒ/Ｘと皮下脂肪厚Ｌfの実測値との相関に応じて統計的に選定される。なお、皮下脂肪厚Ｌfと比Ｒ/Ｘとの関係については特許文献１にも詳述されている。
Ｌf＝−ａ−ｂ×(Ｒ/Ｘ)  ……(5)
【００３７】
図３の処理Ｓ14において、制御部２２は、４電極法のインピーダンスＺB[n]（測定部位６０の生体インピーダンスＲB）に応じて処理Ｓ7で算定した比Ｒ/Ｘについて数式(5)の演算を実行することで皮下脂肪厚Ｌfを生体情報として算定する。そして、制御部２２は、処理Ｓ14で算定した皮下脂肪厚Ｌfを測定結果として表示部２８に表示させる（Ｓ15）。以上の説明から理解されるように、表示部２８に表示される皮下脂肪厚Ｌfの数値が測定処理毎に刻々と変化し、測定部位６０に対する電極部１４の接触圧が測定開始時と比較して大幅に変化した場合（すなわち、第１回目の測定処理の実行時と比較して測定部位６０が大きく変形した場合）には利用者に警告が報知される。
【００３８】
以上に例示した第１実施形態では、電極対ＰAを利用した２電極法で測定されたインピーダンスＺA[n]と電極対ＰAおよび電極対ＰBを利用した４電極法で測定されたインピーダンスＺB[n]との相違に応じた接触圧指標Ｃ[n]が、測定部位６０に対する電極部１４の接触圧の指標として算定される。すなわち、皮下脂肪厚Ｌfの測定に使用される各電極Ｅが接触圧指標Ｃ[n]の算定に流用される。したがって、電極部１４の接触圧の検出に専用される圧力センサ等の検出器を必要とせずに、簡易な構成で測定部位６０と各電極Ｅとの接触状態を評価することが可能である。
【００３９】
第１実施形態では、測定部位６０に対する電極部１４（各電極Ｅ）の接触圧の適否が接触圧指標Ｃ[n]に応じて判定され、接触圧が適正であると判定された場合に皮下脂肪厚Ｌfの測定（Ｓ14）が実行される。したがって、電極部１４の接触圧の異常（例えば測定部位６０に対する過度な押圧）に起因した測定誤差を抑制することが可能である。また、電極部１４の接触圧が不適正である場合には利用者に報知されるから、接触圧が適正な状態となるように利用者が電極部１４を調整できる（したがって高精度な測定が実現される）という利点もある。
【００４０】
ところで、接触圧指標Ｃ[n]（接触インピーダンスＲC1，ＲC2）は、電極部１４の接触圧だけでなく測定部位６０の皮膚状態（例えば乾湿状態）にも依存する。したがって、基準値ＣREFを所定値に固定した構成では、電極部１４の接触圧が変化しない（皮下脂肪が変形しない）場合でも、測定部位６０の皮膚状態に起因して接触圧指標Ｃ[n]と基準値ＣREFとの間の変動量δＣ[n]が閾値δTHを上回り、電極部１４の接触圧が不適正であると処理Ｓ12で判定される可能性がある。他方、第１実施形態では、過去（第１回目）の測定処理で算定された接触圧指標Ｃ[n]を基準値ＣREFとして第２回目以降の測定処理での接触圧の適否を判定するから、基準値ＣREFを所定値に固定した構成と比較すると、処理Ｓ12での判定について測定部位６０の皮膚状態の影響が減殺される。したがって、電極部１４の接触圧の変化（測定部位６０の変形の有無）を高精度に評価できるという利点がある。
【００４１】
＜Ｂ：第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００４２】
図６は、第２実施形態の制御部２２が実行する測定処理のフローチャートである。図６に示すように、第２実施形態の測定処理は、第１実施形態の測定処理（図３）に処理Ｓ20〜Ｓ23を追加した内容である。
【００４３】
第１回目の測定処理にて接触圧指標Ｃ[1]を基準値ＣREFに設定すると（Ｓ10）、制御部２２は、記憶部２４に記憶された変数Ｍをゼロに初期化する（Ｓ20）。変数Ｍは、測定部位６０に対する電極部１４の接触圧が適正であるとの判定（Ｓ12：YES）が連続した回数を意味する。
【００４４】
第２回目以降の各測定処理の処理Ｓ12で変動量δＣ[n]が閾値δTHを下回る（すなわち電極部１４の接触圧が適正である）と判定すると、制御部２２は、記憶部２４に記憶された変数Ｍに１を加算し（Ｓ21）、加算後の変数Ｍが所定の閾値ＭTHを下回るか否かを判定する（Ｓ22）。処理Ｓ22の結果が否定である場合（すなわち、ＭTH回の測定処理にわたって連続して接触圧が適正であると判定された場合）、制御部２２は、第１実施形態と同様に、４電極法（Ｓ4〜Ｓ6）で測定されたインピーダンスＺB[n]に応じた皮下脂肪厚Ｌfの算定（Ｓ14）とその表示（Ｓ15）とを実行する。他方、処理Ｓ22の結果が肯定である場合（接触圧が適正であると連続して判定された回数Ｍが未だ閾値ＭTHに満たない場合）、制御部２２は、処理Ｓ14および処理Ｓ15を実行せずに第ｎ回目の測定処理を終了する。
【００４５】
第２回目以降の各測定処理の処理Ｓ12で変動量δＣ[n]が閾値δTHを上回る（すなわち電極部１４の接触圧が不適正である）と判定すると、制御部２２は、利用者に対するエラー報知（Ｓ13）を実行するとともに、記憶部２４に記憶された変数Ｍをゼロに初期化する（Ｓ23）。以上の説明から理解されるように、電極部１４の接触圧が適正であると連続して判定（Ｓ12：YES）される回数Ｍが閾値ＭTHに到達するまで（すなわち、電極部１４の接触圧が安定するまで）、皮下脂肪厚Ｌfの算定（Ｓ14）および出力（Ｓ15）は実行されない。したがって、電極部１４の接触圧が安定する以前の段階で皮下脂肪厚Ｌfの算定を開始する構成と比較して、皮下脂肪厚Ｌfを高精度に算定できるという利点がある。
【００４６】
＜Ｃ：変形例＞
前述の各形態は多様に変形され得る。具体的な変形の態様を以下に例示する。以下の例示から任意に選択された２以上の態様は適宜に併合され得る。
【００４７】
（１）変形例１  
測定装置１００が生成する生体情報は皮下脂肪厚Ｌfに限定されない。例えば、測定部位６０の筋肉厚Ｌmを生体情報として算定することが可能である。測定部位６０の脂肪率Ｆは、皮下脂肪厚Ｌfと筋肉厚Ｌmとの加算値に対する皮下脂肪厚Ｌfの比（Ｆ＝Ｌf/（Ｌf＋Ｌm）として近似される。したがって、筋肉厚Ｌmは以下の数式(6)で表現される。
Ｌm＝(Ｌf/Ｆ)−Ｌf  ……(6)
制御部２２は、処理Ｓ6で算定したインピーダンスＺB[n]（すなわち測定部位６０の生体インピーダンスＲB）から脂肪率Ｆを算定するとともに前述の数式(5)の演算で皮下脂肪厚Ｌfを算定し、脂肪率Ｆと皮下脂肪厚Ｌfとについて数式(6)の演算を実行することで筋肉厚Ｌmを算定する。
【００４８】
（２）変形例２  
以上の各形態では、測定部位６０に対する電極部１４の接触圧の適否の判定に接触圧指標Ｃ[n]を適用したが、生体情報の生成に接触圧指標Ｃ[n]を直接に適用することも可能である。例えば、測定部位６０に対する電極部１４の接触圧が大きい（接触圧指標Ｃ[n]が小さい）ほど、皮下脂肪が押圧されて皮下脂肪厚Ｌfが減少するという傾向がある。そこで、電極部１４による押圧に起因した皮下脂肪厚Ｌfの誤差（減少）が補償されるように、接触圧指標Ｃ[n]を補正項として皮下脂肪厚Ｌfの演算式に含めた構成が採用される。具体的には、接触圧指標Ｃ[n]が小さい（接触圧が大きく測定部位６０の変形が大きい）ほど皮下脂肪厚Ｌfが増加するように演算式が選定される。以上の例示から理解されるように、接触圧指標Ｃ[n]の利用方法は任意であり、第１実施形態や第２実施形態の処理Ｓ12のように接触圧指標Ｃ[n]に応じて電極部１４の接触圧の適否を判定する要素（接触状態判定手段）は省略され得る。
【００４９】
（３）変形例３  
２電極法によるインピーダンスＺA[n]の算定と４電極法によるインピーダンスＺB[n]の算定との順番は任意である。また、インピーダンスＺA[n]およびインピーダンスＺB[n]を算定する具体的な方法は適宜に変更される。例えば、２電極法での測定を所定回にわたって反復した場合の各インピーダンスの代表値（例えば平均値や中央値）をインピーダンスＺA[n]として処理Ｓ3で確定する構成や、４電極法での測定を所定回にわたって反復した場合の各インピーダンスの代表値（例えば平均値や中央値）をインピーダンスＺB[n]として処理Ｓ6で確定する構成が採用され得る。
【００５０】
（４）変形例４  
以上の各形態では、第１回目の測定処理で算定された接触圧指標Ｃ[n]を基準値ＣREFとしたが、基準値ＣREFの選定の方法は任意である。例えば、事前に選定された所定値を基準値ＣREFとした構成や、電極部１４の接触圧が安定したと判定された以後の測定処理（例えば図６の処理Ｓ22の結果が否定となった測定処理）で算定された接触圧指標Ｃ[n]を基準値ＣREFとする構成も採用され得る。
【００５１】
（５）変形例５  
インピーダンスＺA[n]およびインピーダンスＺB[n]の相違（接触インピーダンスＲCや接触圧）と接触圧指標Ｃ[n]との関係（接触圧指標Ｃ[n]の算定方法）は適宜に変更される。例えば、前述の各形態では、測定部位６０に対する電極部１４の接触圧が増加する（接触インピーダンスＲCが減少する）ほど接触圧指標Ｃ[n]が減少する場合を例示したが、接触圧が増加するほど接触圧指標Ｃ[n]が増加するように接触圧指標Ｃ[n]を算定する構成（例えばインピーダンスＺA[n]とインピーダンスＺB[n]との差分の逆数を接触圧指標Ｃ[n]として算定する構成）も採用され得る。以上の説明から理解されるように、制御部２２が接触圧指標Ｃ[n]を算定する処理Ｓ8は、測定部位６０に対する電極部１４の接触圧に応じた接触圧指標Ｃ[n]をインピーダンスＺA[n]とインピーダンスＺB[n]との相違（典型的には差分）に応じて算定する処理として包括される。
【符号の説明】
【００５２】
１００……測定装置、１２……本体部、１４……電極部、１４２……筐体、ＰA，ＰB……電極対、Ｅ（Ｅ1〜Ｅ4）……電極、１６……ケーブル、２２……制御部、２４……記憶部、２６……操作部、２８……表示部、３２……電流生成部、３４……電圧検出部、３６……電極選択部、ＳW1，ＳW2……スイッチ、６０……測定部位。
【図１】
0005610157.tif 000002
【図２】
0005610157.tif 000003
【図３】
0005610157.tif 000004
【図４】
0005610157.tif 000005
【図５】
0005610157.tif 000006
【図６】
0005610157.tif 000007